(57)【要約】【課題】複数の変更対象の状態変更を行う操作装置において、省スペース化と、操作性の向上を図ることができる操作装置を提供する。【解決手段】操作装置１は、回転操作及び押下操作が可能に設けられたダイヤルノブ２を備える。操作装置１はダイヤルノブ２の先端面２ａへのフリック操作を検出する検出部を備える。操作装置１は先端面２ａに画像を表示する表示部を備える。操作装置１の制御部は、検出部が検出したフリック操作に基づいて、車両空調に関する複数の変更対象（温度、吹出口、風量など）のいずれかを選択して、選択した変更対象の状態を示した画像を表示部に表示させる。ダイヤルノブ２への回転操作や押下操作により、選択された変更対象の状態が変更され、制御部は、その変更後の状態となるように表示部の表示を切り替える。操作装置１は、ダイヤルノブ２の周囲を照明するとともに、選択された変更対象に応じて照明色が変化する照明部５ａを備える。【選択図】図１
2018034675.tif 000002
【特許請求の範囲】
【請求項１】
車両に搭載される操作装置（１）であって、
面（２ａ）と、
予め定められた複数の変更対象の中から選択された変更対象である選択変更対象の状態を変更する操作が行われる操作部（２）と、
前記面上を滑らせる操作であるスライド操作を検出する検出部（１０）と、
前記検出部が検出した前記スライド操作に基づいて前記選択変更対象を別の前記変更対象に切り替える制御部（３１）と、
を備える操作装置。
【請求項２】
前記スライド操作はフリック操作である請求項１に記載の操作装置。
【請求項３】
前記選択変更対象の状態を示した画像を表示する表示部（１１）を備える請求項１又は２に記載の操作装置。
【請求項４】
前記表示部は前記面に前記画像を表示する請求項３に記載の操作装置。
【請求項５】
前記操作部は可動式の操作部である請求項１〜４のいずれか１項に記載の操作装置。
【請求項６】
前記操作部は回転操作が行われる操作部である請求項５に記載の操作装置。
【請求項７】
前記操作部は押下操作が行われる操作部である請求項５又は６に記載の操作装置。
【請求項８】
前記操作部は突出した形状を有しており、
前記面は前記操作部の先端部に設けられる請求項５〜７のいずれか１項に記載の操作装置。
【請求項９】
前記検出部は複数の方向の前記スライド操作を区別して検出し、
前記制御部は、前記検出部が検出した前記スライド操作の方向に応じた前記変更対象を前記選択変更対象として選択する請求項１〜８のいずれか１項に記載の操作装置。
【請求項１０】
前記検出部は、第１方向の前記スライド操作と、その第１方向とは逆方向の第２方向の前記スライド操作とを区別して検出し、
前記制御部は、前記検出部が前記スライド操作を検出した場合に、複数の前記変更対象間で予め定められた配列順における、前記スライド操作の検出前に前記選択変更対象として選択されていた前記変更対象の隣りに位置する前記変更対象に前記選択変更対象を切り替え、前記検出部が前記第１方向の前記スライド操作を検出したときと、前記第２方向の前記スライド操作を検出したときとで前記選択変更対象の切替方向が逆向きに設定されている請求項９に記載の操作装置。
【請求項１１】
前記制御部は、前記操作部に対する特定の操作が行われたことに基づいて、前記面への前記スライド操作により前記選択変更対象の切り替えを行う前記変更対象の組み合わせを、別の前記変更対象の組み合わせに切り替える請求項１〜１０のいずれか１項に記載の操作装置。
【請求項１２】
前記変更対象の中には、さらに複数の下位変更対象を含んだ変更対象が含まれており、
前記制御部は、複数の前記下位変更対象を含んだ前記変更対象が前記選択変更対象として選択された状態で、前記操作部に対する特定の操作が行われたことに基づいて、複数の前記下位変更対象の中から状態の変更を行う下位変更対象を選択する請求項１〜１１のいずれか１項に記載の操作装置。
【請求項１３】
前記変更対象の中には、さらに複数の下位変更対象を含んだ変更対象が含まれており、
前記制御部は、複数の前記下位変更対象を含んだ前記変更対象が前記選択変更対象として選択された状態で、前記操作部の回転操作が行われたことに基づいて、複数の前記下位変更対象の中から状態の変更を行う下位変更対象を選択する請求項６に記載の操作装置。
【請求項１４】
前記操作装置の照明を行う部分であって、前記選択変更対象に応じて照明色を変化させる照明部（４、５ａ、２４〜２７）を備える請求項１〜１３のいずれか１項に記載の操作装置。
【請求項１５】
前記変更対象は、前記車両の空調制御に関する変更対象である請求項１〜１４のいずれか１項に記載の操作装置。
【請求項１６】
前記車両の空調制御に関する前記変更対象に加えて、空調とは無関係の車両制御に関する前記変更対象が含まれている請求項１５に記載の操作装置。
【請求項１７】
車両に搭載され、
突出した形状を有して、先端に面（２ａ）を有するとともに、前記面へのフリック操作とは別に可動式の操作が可能に設けられた操作部（２）と、
前記面へのフリック操作を検出する第１検出部（１０）と、
前記操作部への前記可動式の操作を検出する第２検出部（１８、２０、２１）と、
前記面に画像を表示する表示部（１１）と、
前記第１検出部が検出したフリック操作に基づいて、予め定められた複数の変更対象の中からいずれかを選択して、その選択した前記変更対象である選択変更対象の状態を示した画像を前記表示部に表示させるとともに、前記第２検出部が検出した前記可動式の操作に基づいて、前記表示部が表示している前記画像を、前記選択変更対象の変更後の状態を示した画像に更新する表示制御部（３１）と、
を備える操作装置（１）。
【発明の詳細な説明】
【技術分野】
【０００１】
本発明は車両に搭載される操作装置に関する。
【背景技術】
【０００２】
従来、車両用空調装置に関する変更対象（吸込口の切替、吹出口の切替、風量、設定温度等）の状態を変更する操作装置に関する技術として、特許文献１の提案がある。特許文献１には、回転操作及び押圧操作が自在に配置されたダイヤルと、そのダイヤルの内周側にディスプレイとを備えたコントロールパネルが開示されている。ダイヤルが押圧操作されることにより複数の変更対象のいずれかが選択されて、ディスプレイには選択された変更対象の状態を示した画像が表示される。そして、ダイヤルが回転操作されることで、選択された変更対象の状態の変更が行われる。特許文献１のコントロールパネルによれば、階層操作が必要な複数の変更対象の状態を設定するために、別々にダイヤルを設けずに１つのダイヤルを共用できるため、コントロールパネルを小型化できるとしている。
【先行技術文献】
【特許文献】
【０００３】
【特許文献１】特開２００６−２０５７５２号公報
【発明の概要】
【発明が解決しようとする課題】
【０００４】
ところで、複数の変更対象の設定を１つの操作部（ダイヤル等）に集約すると、状態変更を行う変更対象を選択する操作が必要となる分、変更対象ごとに操作部を設ける場合に比べて操作性が悪くなる。
【０００５】
本発明は上記事情に鑑みてなされたものであり、複数の変更対象の状態変更を行う操作装置において、省スペース化と、操作性の向上を図ることができる操作装置を提供することを課題とする。
【課題を解決するための手段】
【０００６】
上記課題を解決するため、本発明は、車両に搭載される操作装置（１）であって、
面（２ａ）と、
予め定められた複数の変更対象の中から選択された変更対象である選択変更対象の状態を変更する操作が行われる操作部（２）と、
前記面上を滑らせる操作であるスライド操作を検出する検出部（１０）と、
前記検出部が検出した前記スライド操作に基づいて前記選択変更対象を別の前記変更対象に切り替える制御部（３１）と、
を備える。
【０００７】
また、本発明の操作装置（１）は、
車両に搭載され、
突出した形状を有して、先端に面（２ａ）を有するとともに、前記面へのフリック操作とは別に可動式の操作が可能に設けられた操作部（２）と、
前記面へのフリック操作を検出する第１検出部（１０）と、
前記操作部への前記可動式の操作を検出する第２検出部（１８、２０、２１）と、
前記面に画像を表示する表示部（１１）と、
前記第１検出部が検出したフリック操作に基づいて、予め定められた複数の変更対象の中からいずれかを選択して、その選択した前記変更対象である選択変更対象の状態を示した画像を前記表示部に表示させるとともに、前記第２検出部が検出した前記可動式の操作に基づいて、前記表示部が表示している前記画像を、前記選択変更対象の変更後の状態を示した画像に更新する表示制御部（３１）と、
を備える。
【０００８】
本発明の操作装置によれば、複数の変更対象の状態変更機能を１つの操作部に集約できるので、変更対象ごとに操作部を設ける場合に比べて省スペース化を図ることができる。また、本発明においても、状態変更を行う変更対象を選択する操作が必要となるものの、その選択操作をスライド操作としており、ユーザは指を面上に滑らせることで所望の変更対象を選択できる。このように、スライド操作で選択変更対象の切替を可能とすることで、ユーザの操作負担を軽減できる。つまり、操作性の向上を図ることができる。
【０００９】
なお、本発明においてフリック操作とは、面上で指を素早くはじくように、面上で指を滑らせつつ面から指を離す操作をいう。
【図面の簡単な説明】
【００１０】
【図１】操作装置の正面図である。
【図２】操作装置の側面図である。
【図３】操作装置の分解斜視図である。
【図４】操作装置の正面図である。
【図５】図４のＶ−Ｖ線で操作装置を切った断面図である。
【図６】図４のＶＩ−ＶＩ線で操作装置を切った断面図である。
【図７】図４のＶＩＩ−ＶＩＩ線で操作装置を切った断面図である。
【図８】図４のＶＩＩＩ−ＶＩＩＩ線で操作装置を切った断面図である。
【図９】図４のＩＸ−ＩＸ線で操作装置を切った断面図である。
【図１０】車両制御システムの構成図である。
【図１１】エアコンモード及び車両設定モードを構成する各モードを示すとともに、フリック操作によってモードが切り替わることを示した図である。
【図１２】エアコンモードにおける表示の切り替わりを示した図である。
【図１３】車両設定モードにおける表示の切り替わりを示した図である。
【発明を実施するための形態】
【００１１】
以下、本発明の実施形態を図面を参照しながら説明する。図１、図２に示す操作装置１は、車両の例えばエアコンパネルに設置されて、車両の空調制御の内容（吹出口の切替、風量、吹出温度等）を設定するために用いられる。エアコンパネルは、前席空間の前方に位置するインストルメントパネル部における左右幅方向の中央位置に配置される。また、操作装置１では、空調制御に加えて、空調は無関係の車両制御に関する設定も可能となっている（詳細は後述）。
【００１２】
先ず操作装置１の外観を説明する。操作装置１は、ケース６と、そのケース６の上面から突出する形で設けられるダイヤルノブ２とを備えている。ダイヤルノブ２は、その軸線Ｌ１（図５参照）回りの回転操作及び軸線Ｌ１方向への押下操作が可能に設けられている。ダイヤルノブ２の先端面２ａの中央部３は各種画像が表示可能な矩形状の画面として構成されている。図１では、中央部３に空調の設定温度を示した画像が表示された例を示している。
【００１３】
また、先端面２ａの上部には点灯可能（言い換えると光が透過可能）に構成された点灯部４が設けられている。点灯部４は、ブロワのマークを示したブロワマーク部４ａと、ブロワマーク部４ａの右側にダイヤルノブ２の右回転操作により変更対象の設定値が上がることを示唆するマークを示した右操作マーク部４ｂと、ブロワマーク部４ａの左側にダイヤルノブ２の左回転操作により変更対象の設定値が下がることを示唆するマークを示した左操作マーク部４ｃとを含む。右操作マーク部４ｂは、ダイヤルノブ２の外周に沿って延びるように設けられる線状部と、「＋」のマーク部とから構成される。左操作マーク部４ｃは、ダイヤルノブ２の外周に沿って延びるように設けられる線状部と、「−」のマーク部とから構成される。
【００１４】
さらに、ダイヤルノブ２の根元部の外周全周を囲む形にリング状の照明部５ａが設けられている。
【００１５】
操作装置１の作用を簡単に説明する。先端面２ａに対して指を面上に滑らせるスライド操作の一種であるフリック操作が行われると、状態変更を行う変更対象（選択変更対象）が切り替わる。また、中央部３には現在の選択変更対象の状態を示した画像が表示される。ユーザは、中央部３に表示された画像を確認しながら、希望の変更対象の画像が表示されるまでフリック操作を繰り返す。その後、ダイヤルノブ２への回転操作や押下操作により、中央部３に表示された画像で示される変更対象（選択変更対象）のモードを変更したり、設定値を変更したり、オンオフを変更したりといった設定内容の変更が行われる。
【００１６】
また、選択変更対象に応じて、点灯部４の点灯状態や照明部５ａの照明色が変化する。例えば、選択変更対象がブロワの風量の場合には、ブロワマーク部４ａ、右操作マーク部４ｂ及び左操作マーク部４ｃは全て点灯するとともに、その点灯色は白色となる。また、例えば選択変更対象が設定温度の場合には、ブロワマーク部４ａを消灯し、右操作マーク部４ｂは赤色に点灯し、左操作マーク部４ｃは青色に点灯する。
【００１７】
以下、操作装置１の構成の詳細を説明する。図２に示すように、ケース６は、正面側に配置されるフロントケース７と、背面側に配置されるリアケース８とを備えている。フロントケース７は正面側が閉じて、背面側が開いた形状を有している。他方、リアケース８は背面側が閉じて、正面側が開いた形状を有している。そして、フロントケース７の開口部と、リアケース８の開口部とが突き合わさる形でそれらケース７、８がねじ２８（図３、図９参照）により固定されている。また、フロントケース７の正面部の中央には円形の開口７ａが形成されている（図３参照）。
【００１８】
ケース６の内部には収容空間が形成されている。その収容空間には各種部品が収容されている（図３、図５〜図９参照）。詳しくは、ケース６内には、プリズム５、ダイヤルノブ２、ダイヤルギア９、静電シート１０、表示部１１、プランジャ１５、スプリング１６、第１リフレクタ１３、第２リフレクタ１４及び基板１７が収容されている。
【００１９】
プリズム５は、アクリル樹脂など導光性を有する透明材料で形成されている。プリズム５は、リング状に形成されたリング部５ａと、そのリング部５ａから背面方向に延設された延設部５ｂとを有する（図３、図９参照）。リング部５ａは、上記の照明部を構成し、図２に示すようにフロントケース７の開口７ａに嵌まる形に設けられる。延設部５ｂは、リング部５ａの円周方向に４つに分割されている。各延設部５ｂの、リング部５ａに接続された側と反対側の端部は、基板１７に実装されたリング照明用のＬＥＤ２７に対向した位置に配置される（図９参照）。各延設部５ｂは、各ＬＥＤ２７からの光をリング部５ａまで案内する役割を有する。これにより、リング部５ａはＬＥＤ２７の発光色で照明する。
【００２０】
ダイヤルノブ２は、先端側が閉じた円筒状に形成されている。ダイヤルノブ２の先端面２ａからの一部と残余部とが異なる径に形成されており、詳しくは残余部は先端面２ａからの一部より大径に形成されている。また、先端面２ａは、軸線Ｌ１（図５参照）に直角な平坦面に形成されている。
【００２１】
ダイヤルノブ２の先端面２ａとそれ以外の部分とは異種の材料で形成されている。詳しくは、先端面２ａは、ポリカーボネートなどの光透過性を有する樹脂で形成されている。また、先端面２ａはブラックフェース感を付与するために、光が透過可能な黒みがかった色の材料で形成されている。なお、先端面２ａは、無色透明な板の表面又は裏面に、光が透過可能な黒みがかった色のスモーク層が被覆される形で形成されたとしても良い。さらに、先端面２ａの裏面には、先端面２ａの中央部３及び点灯部４は光を透過可能し、中央部３及び点灯部４以外の部分は光を遮光する黒色層で被覆されている。なお、図１では、先端面２ａの、中央部３及び点灯部４以外の部分は白色で図示しているが、実際は黒色となっている。一方、ダイヤルノブ２の先端面２ａ以外の部分、つまり側面部２ｂ（図３参照）は、ＡＢＳ樹脂など遮光性を有する樹脂で形成されている。これら先端部２ａ、側面部２ｂは、例えば別々に形成され、爪嵌合等により固定されている。
【００２２】
ダイヤルノブ２は、リング部５ａの内側に嵌まる形に設けられる。そして、ダイヤルノブ２の先端面２ａからの一部である小径部がケース６（言い換えるとリング部５ａ）から突出する形に設けられ、残余部である大径部がケース６内に配置される。大径部はダイヤルギア９に爪勘合などにより固定されている。これにより、ダイヤルノブ２の回転操作に連動してダイヤルギア９も軸線Ｌ１（図５参照）回りに回転する。
【００２３】
ダイヤルギア９は、小径部９ａと小径部９ａより大径の大径部９ｂとを有した円筒状に形成されている（図３、図５参照）。小径部９ａはダイヤルギア９の先端側に配置され、大径部９ｂはダイヤルギア９の後端側に配置されている。小径部９ａは、爪勘合等によりダイヤルノブ２に一体回転可能に接続されている。大径部９ｂの後端には大径部９ｂの円周方向に沿って複数の歯９ｃが等間隔で形成されている。図５に示すように、大径部９ｂの後端は、基板１７に実装されたフォトインタラプタ２０、２１の発信機２２と受信機２３の間に配置される。
【００２４】
さらに、ダイヤルギア９の小径部９ａと大径部９ｂとを繋ぐ段差部９ｄ（図８参照）の背面は、ダイヤルギア９の円周方向に沿って凹凸が交互に繰り返される凹凸面に形成されている。図８に示すように、大径部９ｂの内側かつ段差部９ｄの背面側にはプランジャ１５及びスプリング１６が配置されている。プランジャ１５は棒状の形成されており、その軸線Ｌ２がダイヤルノブ２の軸線Ｌ１（図５参照）と平行となるように配置されている。プランジャ１５の一端は段差部９ｄの凹凸面に接触し、他端はスプリング１６を介して第１リフレクタ１３の底部１３ｂに接触している。プランジャ１５は、スプリング１６により、段差部９ｄと底部１３ｂとの間で軸線Ｌ２の方向に移動可能に設けられる。
【００２５】
そして、ダイヤルノブ２の回転に連動してダイヤルギア９が回転したときに、プランジャ１５が段差部９ｄの凹凸面における凹部から凸部に移動する段階では、プランジャ１５はスプリング１６を縮ませながら軸線Ｌ２の底部１３ｂ側の方向に変位する。一方、プランジャ１５が段差部９ｄの凹凸面における凸部から凹部に移動する段階では、プランジャ１５は、スプリング１６の付勢力により軸線Ｌ２の段差部９ｄ側の方向に変位する。このプランジャ１５の凹凸面における凸部の乗り越えによって、ダイヤルノブ２の回転操作に対して一定量回転する度に（言い換えるとプランジャ１５が凸部を乗り越える度に）力覚を付与することができる。ダイヤルノブ２が、力覚が一回付与される分だけ回転すると、選択変更対象の設定値が１段階変化する。
【００２６】
静電シート１０は、ユーザの指が先端面２ａに接触したことを検出するセンサであり、静電シート１０を構成する材料は全て透明材料で構成されている。静電シート１０は、先端面２ａの大部分をカバーする大きさのシート状に形成されている。静電シート１０は、図５に示すように、先端面２ａと表示部１１の間に挟み込まれる形に配置されている。このように、静電シート１０は表面２ａと表示部１１との間に挟み込まれているので、表示部１１の表面並びにこの表示部１１が位置していない先端面２ａの表面をフリックすることで、この静電シート１０はそのフリック部位の静電容量に応じた信号を出力することになる。
【００２７】
静電シート１０は、電極を有しており、指と電極との間の静電容量に応じた信号を出力する。つまり、静電シート１０は、指と電極との間の静電容量の変化に基づき先端面２ａへの接触を検出する静電容量方式のセンサである。さらに、静電シート１０は、先端面２ａへのフリック操作を検出可能に構成されている。詳しくは、静電シート１０は、左方向へのフリック操作と右方向へのフリック操作とを区別して検出するために、左右方向に複数に分割された電極構造を有する。そして、分割された電極毎に静電容量に応じた信号が出力されるようになっている。例えば、左から右へのフリック操作が行われた場合には、先ず左側に配置された電極からの信号に変化が生じ、次に右側に配置された電極からの信号に変化が生じる。各電極からの信号の変化順に基づいてフリック操作の方向を判定できる。
【００２８】
静電シート１０は、図３に示すように、シート状の電極部１０ａと、電極部１０ａからの信号を出力する出力部１０ｂとを有する。電極部１０ａが、先端面２ａと表示部１１の間に挟み込まれる形に配置される。出力部１０ｂは各電極毎の出力線を有しており、一端が各電極に接続され、他端が基板１７に実装されたコネクタ１９（図５参照）に接続されている。つまり、静電シート１０は基板１７に電気的に接続されている。
【００２９】
表示部１１は、各種画像を表示可能な、例えば有機発光ダイオード（ＯＬＥＤ：Ｏｒｇａｎｉｃ  Ｌｉｇｈｔ  Ｅｍｉｔｔｉｎｇ  Ｄｉｏｄｅ）から構成されたディスプレイである。表示部１１は、先端面２ａの裏側において静電シート１０を間に挟んで先端面２ａの中央部３に対面した位置に配置される。表示部１１は、第１リフレクタ１３の先端部１３ａ（図３、図５参照）に両面テープ１２（図３参照）により固定されている。
【００３０】
また、表示部１１には通信線１１ａ（図３、図７参照）が接続されており、その通信線１１ａを介して後述の制御部３１（図１０参照）から表示部１１に表示用の画像データが送られる。通信線１１ａは一端が表示部１１に接続され、他端が基板１７に実装されたコネクタ２９（図７参照）に接続されている。つまり、表示部１１は基板１７に電気的に接続されている。
【００３１】
第１リフレクタ１３は、図５に示すように、先端面２ａと基板１７の間に配置されて、ダイヤルノブ２の軸線Ｌ１に一致した軸線を有してその軸線方向に延設されるとともにその軸線回りに筒状に形成される。また、第１リフレクタ１３は、先端側の一部がケース６から突出しているものの、ダイヤルノブ２及びプリズム５の内側に配置されているために、外からは見えないようになっている。第１リフレクタ１３の先端は、先端面２ａの直下に位置しており、表示部１１が載置される載置部１３ａを形成している。
【００３２】
第１リフレクタ１３は、根元側における外周部に、軸線と平行な方向に延びたレール部１３ｃ（図５参照）を有する。そのレール部１３ｃは、第１リフレクタの円周方向に沿って複数箇所に形成されている。レール部１３ｃは、第２リフレクタ１４に形成されたレール溝１４ａ（図５参照）に嵌まって軸線方向に若干量だけ移動可能に設けられている。すなわち、第１リフレクタ１３は、先端面２ａへの押下操作に伴い押下方向に移動可能に設けられている。
【００３３】
図５に示すように、第１リフレクタ１３は、ケース６内において基板１７側に突出した突出部１３ｄを有する。その突出部１３ｄは、基板１７に実装されたプッシュスイッチ１８に対面した位置においてプッシュスイッチ１８に接触した状態で設けられる。先端面２ａの押下操作に伴い第１リフレクタ１３が押下方向に移動すると、突出部１３ｄがプッシュスイッチ１８を押下するようになっている。先端面２ａへの押下操作が解除されると、プッシュスイッチ１８が元の位置に戻ろうとする押し上げ力が突出部１３ｄに作用することで、第１リフレクタ１３及びこれに接続されたダイヤルノブ２が元の位置に戻る。
【００３４】
さらに、図６に示すように、第１リフレクタ１３の内部は、ＬＥＤ２４〜２６の光が外部に漏れないようにするために複数の区画部１３ｅ〜１３ｇを形成している。詳しくは、第１リフレクタ１３は、内部に、ブロワマーク部４ａ（図４参照）を点灯するためのＬＥＤ２４の光を外部に漏れないようにする区画部１３ｅと、右操作マーク部４ｂ（図４参照）を点灯するためのＬＥＤ２５の光を外部に漏れないようにする区画部１３ｆと、左操作マーク部４ｃ（図４参照）を点灯するためのＬＥＤ２６の光を外部に漏れないようにする区画部１３ｇとを形成している。
【００３５】
また、第１リフレクタ１３は、ダイヤルギア９との間でプランジャ１５及びスプリング１６を格納する格納部１３ｈを形成している（図８参照）。
【００３６】
第２リフレクタ１４は、全部がケース６内に配置されて、第１リフレクタ１３のケース６内に配置される部分の外側を囲むように筒状に形成されている。第２リフレクタ１４は、上述のようにレール溝１４ａを形成しており、このレール溝１４ａにより第１リフレクタ１３を径方向への移動を制限するとともに軸線方向に対しては押下操作に伴う移動は許容する形に、第１リフレクタ１３を支持する。また、第２リフレクタ１４は、図９に示すように、プリズム５の延設部５ｂの周りを囲むように区画部１４ｂを有する。その区画部１４ｂにより、延設部５ｂ内を進行する光の漏れを抑制している。
【００３７】
第１リフレクタ１３及び基板１７は、フロントケース７とリアケース８の間に挟み込まれる形でねじ２８により固定されている（図９参照）。
【００３８】
第１リフレクタ１３及び第２リフレクタ１４は、ダイヤルノブ２、プリズム５、ダイヤルギア９、表示部１１といったケース６内の各部品を所定位置に支持する機能と、各ＬＥＤ２４〜２７の光を点灯部４や照明部５ａに効率的に案内する機能を有する。これら第１リフレクタ１３、第２リフレクタ１４は、ＰＰ（ポリプロピレン）樹脂、ＡＢＳ樹脂等の遮光性を有する部材で形成されている。
【００３９】
基板１７は、第２リフレクタ１４の背面部とリアケース８の開口部の間に挟み込まれる形に設けられる。この基板１７には、ブロワマーク部４ａの下に配置されて、ブロワマーク部４ａに光を供給するＬＥＤ２４（図６参照）が実装されている。このＬＥＤ２４は、例えば白色の光を発するＬＥＤである。また、基板１７には、右操作マーク部４ｂの下に配置されて、右操作マーク部４ｂに光を供給するＬＥＤ２５（図６参照）が実装されている。このＬＥＤ２５は、例えば白色の光を発するＬＥＤ２５ａと、赤色の光を発するＬＥＤ２５ｂとを有する。また、基板１７には、左操作マーク部４ｃの下に配置されて、左操作マーク部４ｃに光を供給するＬＥＤ２６（図６参照）が実装されている。このＬＥＤ２６は、例えば白色の光を発するＬＥＤ２６ａと、青色の光を発するＬＥＤ２６ｂとを有する。
【００４０】
また、基板１７には、プリズム５の延設部５ｂの後端に対向する位置に配置されて、その後端に光を入射するＬＥＤ２７（図９参照）が実装されている。このＬＥＤ２７は、複数色の光（例えば、赤色の光、青色の光、緑色の光、白色の光）を個別に発することができるＬＥＤであり、詳しくは、例えば赤色の光を発する素子と、青色の光を発する素子と、緑色の光を発する素子とが１つのパッケージに収容され、各素子の光量を調整可能なＬＥＤである。なお、ＬＥＤ２７は、互いに異なる色を発する複数の単色ＬＥＤとして構成されたとしても良い。
【００４１】
また、基板１７にはプッシュスイッチ１８が実装されている（図５参照）。プッシュスイッチ１８は、ダイヤルノブ２の押下方向と同じ方向に変位する可動部を有し、その可動部が押下方向に変位したときにオン信号を出力するスイッチである。可動部は、ばねにより押下方向と反対方向に付勢された形に設けられている。したがって、可動部は、押下方向への力が解除された時には、ばねの付勢力により元の位置に戻る。また、基板１７には、静電シート１０が接続されるコネクタ１９（図５参照）及び表示部１１が接続されるコネクタ２９（図７参照）が実装されている。
【００４２】
また、基板１７には、ダイヤルノブ２の回転量を検出するための２つのフォトインタラプタ２０、２１（図５参照）が実装されている。各フォトインタラプタ２０、２１は、赤外光を発信する発信機２２及び赤外光を受信する受信機２３を有する。それら発信機２２、受信機２３は、ダイヤルギア９の、歯９ｃが形成された部分を間に挟んで対向する位置に設けられる。発信機２２と受信機２３の間に歯９ｃが位置しているときには、発信機２２からの赤外光が歯９ｃで遮断されることで、受信機２３は赤外光を受信しない。これに対して、発信機２２と受信機２３の間に歯９ｃが位置していないとき、言い換えると、発信機２２と受信機２３の間に歯９ｃと歯９ｃの間のスリットが位置しているときには受信機２３は赤外光を受信する。これにより、受信機２３は、ダイヤルノブ２の回転操作に伴うダイヤルギア９の回転に伴って周期的にパルスの信号を受信する。このパルスの数は、ダイヤルギア９の回転量、すなわちダイヤルノブ２の回転量に相当する値である。
【００４３】
さらに、２つのフォトインタラプタ２０、２１により、ダイヤルノブ２の回転方向も検出可能となっている。詳しくは、一方のフォトインタラプタ２０から出力されるパルス信号と、他方のフォトインタラプタ２１から出力されるパルス信号とが位相がズレた関係となるように、２つのフォトインタラプタ２０、２１の配置位置や、歯９ｃの間隔が調整されている。そして、ダイヤルノブ２が時計回り（右回り）に回転されたときと、反時計回り（左回り）に回転されたときとで、一方のフォトインタラプタ２０からのパルス信号が、他方のフォトインタラプタ２１からのパルス信号に対して位相が進んでいるのか、遅れているのかが切り替わるようになっている。
【００４４】
さらに基板１７には、ダイヤルノブ２への操作内容を判定したり、表示部１１を制御したり、各ＬＥＤ２４〜２７を制御したりする制御部３１（図１０参照）が実装されている。制御部３１は、ＣＰＵ、ＲＯＭ、ＲＡＭ等から構成され、ＣＰＵがＲＯＭに記憶されたプログラムを実行することで、ダイヤルノブ２への操作内容を判定するなどの各種機能を実現する。制御部３１は、ＥＥＰＲＯＭ等の不揮発性のメモリ３２を有している。このメモリ３２には、表示部１１に表示させる画像データが記憶されている。
【００４５】
制御部３１は、静電シート１０、プッシュスイッチ１８、フォトインタラプタ２０、２１、表示部１１と電気的に接続されている。制御部３１は、静電シート１０からの出力信号に基づいて、先端面２ａへのフリック操作の有無及びフリック操作の方向を判定する。すなわち、制御部３１は、静電シート１０の左側に配置された電極から操作有の信号が出力され、続いて、右側に配置された電極から操作有の信号が出力されたことに基づいて、先端面２ａに対して右方向のフリック操作が行われたと判定する。制御部３１は、静電シート１０の右側に配置された電極から操作有の信号が出力され、続いて、左側に配置された電極から操作有の信号が出力されたことに基づいて、先端面２ａに対して左方向のフリック操作が行われたと判定する。
【００４６】
また、制御部３１は、プッシュスイッチ１８からのオン信号を受信したことに基づいて、ダイヤルノブ２に対して押下操作が行われたと判定する。さらに、制御部３１は、プッシュスイッチ１８からのオン信号の継続時間を測定し、その継続時間が所定時間（例えば２秒）以上か否かを判定することで、ダイヤルノブ２に対して長押し操作がされたか否かを判定する。また、制御部３１は、フォトインタラプタ２０、２１からのパルス信号を受信したことに基づいてダイヤルノブ２に対して回転操作が行われたと判定する。このとき、パルス数に基づいてダイヤルノブ２の回転量を判定する。また、一方のフォトインタラプタ２０からのパルス信号と、他方のフォトインタラプタ２１からのパルス信号との間の位相のずれ方向に基づいて、ダイヤルノブ２の回転方向を判定する。
【００４７】
制御部３１が実行する表示部１１に対する制御及びＬＥＤ２４〜２７の制御の詳細は後述する。
【００４８】
図１０に、車両の空調制御といった各種制御を行う車両制御システム１００の構成図を示している。車両制御システム１００は、操作装置１と外部制御装置４０と空調ユニット４３と空調用センサ群４４とを備えている。操作装置１は、上述したように、フリック操作検出部として機能する静電シート１０と、押下操作検出部として機能するプッシュスイッチ１８と、回転操作検出部として機能するフォトインタラプタ２０、２１と、表示部１１と、ＬＥＤ２４〜２７と、これらと接続された制御部３１とを備えている。
【００４９】
一方、外部制御装置４０は、操作装置１と別体に設けられて、操作装置１からの操作信号に基づいて空調制御といった各種車両制御を実行する装置である。外部制御装置４０は、車室内の空調制御を行うエアコンＥＣＵ（ＥＣＵ：Ｅｌｅｃｔｒｏｎｉｃ  Ｃｏｎｔｒｏｌ  Ｕｎｉｔ）４１と、空調制御以外の車両制御を行う、車両制御の種類ごとに設けられた複数のＥＣＵ４２とを含む。各ＥＣＵ４１、４２は、ＣＰＵ、ＲＯＭ、ＲＡＭ、信号入出力回路であるＩ／Ｏ、車載ＬＡＮの通信インターフェースである通信Ｉ／Ｆ等を備える周知のコンピュータハードウェアとして構成される。各ＥＣＵ４１、４２と操作装置１の制御部３１とは、ＣＡＮ（Ｃｏｎｔｒｏｌｌｅｒ  Ａｒｅａ  Ｎｅｔｗｏｒｋ）等の車内ＬＡＮ５０により双方向に通信可能に接続されている。
【００５０】
空調ユニット４３は、車室内に、温度、風量、吹出位置等が調整された空気を導入するユニットである。詳しくは、空調ユニット４３は、車両外から取り込んだ空気で空調用の空気を生成する外気モードと、車室内の空気を取り込んで空調用の空気を生成する内気モードとを切り替える内外気ダンパを備える。また、空調ユニット４３は、空調用の空気が流れるダクト内に配置される形で、空気の風量を調整するブロワファン、そのブロワファンより下流に配置され空気を冷却して冷気を生成するエバポレータ、エバポレータより下流に配置され空気を昇温して暖気を生成するヒータコア、エバポレータとヒータコアの間に配置されエバポレータで冷却された冷気とヒータコアで加熱された暖気との混合比率を決めるエアミックスダンパ等を備えている。
【００５１】
空調用センサ群４４は、例えば、車内温度を検出する内気温センサ、車外温度を検出する外気温センサ、エバポレータを通過した直後の空気の温度を検出するエバポレータ後センサ、日射量を検出する日射センサ、車内湿度を検出する湿度センサ等の複数のセンサから構成される。
【００５２】
エアコンＥＣＵ４１は、操作装置１から入力された空調条件を満足するように、空調用センサ群４４から入力されたセンサ信号を考慮しつつ、空調ユニット４３の作動を制御（例えばエアミックスダンパの開度の調整、ブロアファンの回転数の調整）する。
【００５３】
次に、制御部３１と外部制御装置４０とが実行する処理の詳細を説明する。制御部３１は、図１１に示すように、ダイヤルノブ２へのフリック操作に基づいて状態変更を行う変更対象（選択変更対象）を別の変更対象に切り替える。また、制御部３１は、ダイヤルノブ２への長押し（例えば２秒以上）の押下操作があったことに基づいて、ダイヤルノブ２へのフリック操作により切り替えが行われる変更対象の組み合わせを、空調制御に関する変更対象の組み合わせから構成されたエアコンモード（図１１の上段）と、空調制御以外の変更対象の組み合わせから構成された車両設定モード（図１１の下段）との間で切り替える。
【００５４】
先ず、エアコンモードから説明する。図１１の上段に示されるように、エアコンモードは、変更対象として、ユーザが希望する車室内温度を設定してその車室内温度となるように吹出口から吹き出す空気の温度を制御する「ＴＥＭＰ」モードと、車室内の複数箇所に設置された空気の吹出口のうちどの吹出口から空気を吹き出すのかを制御する「吹出口切替」モードと、空気の風量を制御する「ＢＬＯＷ」モードと、それ以外の制御を行う「詳細」モードとを含む。
【００５５】
「ＴＥＭＰ」モードは、車室内温度を、所定の下限温度ＬＯと所定の上限温度ＨＩとの間で所定温度刻み（例えば１℃刻み）で任意の温度に設定可能なモードである。「吹出口切替」モードは、運転者の上半身領域に空気を吹き出す「ＦＡＣＥ」モードと、運転者の上半身領域と足元領域の両方に空気を吹き出す「Ｂ／Ｌ」モードと、運転者の足元領域に空気を吹き出す「ＦＯＯＴ」モードと、運転者の足元領域に空気を吹き出すＦＯＯＴ機能と車両のフロントガラスに空気を吹き出すＤＥＦ機能を同時に実行する「ＦＯＯＴ／ＤＥＦ」モードとのうちのいずれかに切り替えるモードである。
【００５６】
「ＢＬＯＷ」モードは、吹出口からの空気の風量をレベル０〜７の間で切り替えるモードである。「詳細」モードは、さらに複数の下位変更対象を含んだモードであり、詳しくは下位変更対象として、冷房や除湿を行うためのコンプレッサのオンオフを切り替える「Ａ／Ｃ」モードと、運転席と助手席で温度制御を個別に行う「ＤＵＡＬ」モードと、前席への送風を優先させ、後席への送風を抑える「Ｓ−ＦＬＯＷ」モードとの３つのモードを含む。
【００５７】
制御部３１は、先端面２ａへの１回のフリック操作により、「ＴＥＭＰ」モード、「吹出口切替」モード、「ＢＬＯＷ」モード、「詳細」モードの中から１つのモードを選択する。詳しくは、「ＴＥＭＰ」モード、「吹出口切替」モード、「ＢＬＯＷ」モード、「詳細」モードはこの順に配列されており、制御部３１は、この配列順における、フリック操作の検出前に選択されていたモードの隣りに位置するモードに切り替える。なお、「ＴＥＭＰ」モードと「詳細」モードも隣り合う位置関係に配列されているものとする。例えば、「ＴＥＭＰ」モードが選択されている状態で右方向へのフリック操作が行われたと判定したときには、「ＴＥＭＰ」モードの右隣りに位置する「吹出口切替」モードに切り替え、反対に左方向へのフリック操作が行われたと判定したときには、「ＴＥＭＰ」モードの左隣りに位置する「詳細」モードに切り替える。
【００５８】
同様に、制御部３１は、例えば、「吹出口切替」モードが選択されている状態でフリック操作があったときには、その操作方向が右方向の場合には「ＢＬＯＷ」モードに切り替え、左方向の場合には「ＴＥＭＰ」モードに切り替える。制御部３１は、例えば「ＢＬＯＷ」モードが選択されている状態でフリック操作があったときには、その操作方向が右方向の場合には「詳細」モードに切り替え、左方向の場合には「吹出口切替」モードに切り替える。制御部３１は、例えば「詳細」モードが選択されている状態でフリック操作があったときには、その操作方向が右方向の場合には「ＴＥＭＰ」モードに切り替え、左方向の場合には「ＢＬＯＷ」モードに切り替える。このように、右方向へのフリック操作があったときと、左方向へのフリック操作があったときとでモードの切替方向が逆向きに設定されている。
【００５９】
また、制御部３１は、先端面２ａへのフリック操作に同期させて、選択したモードの状態を示した画像を表示部１１に表示させる。詳しくは、制御部３１は、フリック操作に基づいて選択したモードの現在の状態をエアコンＥＣＵ４１から取得する。そして、制御部３１は、取得した状態を示した画像をメモリ３２から読みだして、その画像を表示部１１に表示させる。これにより、先端面２ａの中央部３には、表示部１１が表示した画像、つまり現在のモードの状態が表示される。なお、フリック操作の検出後に、選択したモードの現状状態をエアコンＥＣＵ４１から取得しても良いし、全てのモードの現在状態をフリック操作の検出前から予めエアコンＥＣＵ４１から取得してこれらをメモリ３２に記憶していても良い。モードの現在状態を予め取得しておくことで、フリック操作のタイミングと、画像の切替タイミングとのズレを小さくできる。
【００６０】
制御部３１は、例えば「ＴＥＭＰ」モードに切り替える場合には、図１２に示すように、エアコンＥＣＵ４１からの情報に基づいて、現在の設定温度を示した画像２００（温度設定表示）を表示部１１に表示させる。
【００６１】
また、制御部３１は、例えば「吹出口切替」モードに切り替える場合には、エアコンＥＣＵ４１からの情報に基づいて、「吹出口切替」モードを構成する４つのモード（「ＦＡＣＥ」モード、「Ｂ／Ｌ」モード、「ＦＯＯＴ」モード、「ＦＯＯＴ／ＤＥＦ」モード）の中から選択された現在モードを示した画像２１０（吹出口表示）を表示部１１に表示させる。この吹出口表示２１０では、「ＦＡＣＥ」モードを示した画像２１１、「Ｂ／Ｌ」モードを示した画像２１２、「ＦＯＯＴ」モードを示した画像２１３、「ＦＯＯＴ／ＤＥＦ」モードを示した画像２１４のいずれかの表示が行われる。
【００６２】
また、制御部３１は、例えば「ＢＬＯＷ」モードに切り替える場合には、エアコンＥＣＵ４１からの情報に基づいて、現在の風量を示した画像２２０（風量表示）を表示部１１に表示させる。風量表示２２０は、ブロワを示したブロワ画像２２１と、ブロワの風量レベルを示したレベル画像２２２とを含む。ブロワ画像２２１は、風量レベルが高いほど高回転でブロワが回転していることを示した動画である。レベル画像２２２は、画面の上下方向に延びた複数本のバーの表示領域が左右に並べて配置されて、右側ほど長いバーの表示領域が設定される。そして、レベル画像２２２は、左側からのバーの表示本数によって風量のレベルを表す。
【００６３】
また、制御部３１は、例えば「詳細」モードに切り替える場合には、エアコンＥＣＵ４１からの情報に基づいて、図１２の詳細表示２３０を表示部１１に行わせる。その詳細表示２３０は、「Ａ／Ｃ」モードのオンオフ状態を示した画像２３１と、「ＤＵＡＬ」モードのオンオフ状態を示した画像２３２と、「Ｓ−ＦＬＯＷ」モードのオンオフ状態を示した画像２３３とを含む。
【００６４】
制御部３１は、フリック操作により表示を切り替えるときには、例えばフリック操作前に表示されていた画像をフリック操作の方向にスライドするように消しつつ、新たに表示する画像を、フリック操作の方向と反対側からスライドしながら最終的に画面中央に表示させる。これによれば、フリック操作に連動して表示が切り替わっていることや、フリック操作の方向に応じた表示に切り替わっていることをユーザに把握させやすくできる。
【００６５】
さらに、制御部３１は、ダイヤルノブ２への回転操作や押下操作があったときには、その操作内容に基づいて、表示部１１が表示している画像に、現在モードの変更後の状態を反映させる。詳しくは、制御部３１は、現在モードが「ＴＥＭＰモード」のときにダイヤルノブ２への回転操作があったときには、設定温度を変更する操作があったことをエアコンＥＣＵ４１に通知するとともに、ダイヤルノブ２の回転量及び回転方向もエアコンＥＣＵ４１に通知する。回転量として例えばフォトインタラプタ２０、２１から出力されるパルス信号におけるパルス数を通知しても良いし、ダイヤルノブ２の回転操作に対して力覚が１回付与される回転が何回行われたからフォトインタラプタ２０、２１からのパルス信号に基づいて算出し、その算出値を通知しても良い。
【００６６】
エアコンＥＣＵ４１は、制御部３１から通知される回転量及び回転方向に応じた分だけ設定温度を変更する。詳しくは、エアコンＥＣＵ４１は、ダイヤルノブ２の回転方向が右方向の場合には設定温度を上げる方向に変更し、このときダイヤルノブ２の回転量が大きいほど温度の上げ量を大きくする。エアコンＥＣＵ４１は、ダイヤルノブ２の回転方向が左方向の場合には設定温度を下げる方向に変更し、このときダイヤルノブ２の回転量が大きいほど温度の下げ量を大きくする。その後、エアコンＥＣＵ４１は、変更後の設定温度を制御部３１に通知する。制御部３１は、通知された設定温度となるように表示を更新する。
【００６７】
なお、制御部３１は、ダイヤルノブ２の回転量及び回転方向に基づいて変更後の設定温度又は設定温度の変化量を算出し、その算出した設定温度又は変化量に基づいて表示を更新するとともに、変更後の設定温度又は設定温度の変化量をエアコンＥＣＵ４１に通知しても良い。エアコンＥＣＵ４１は、制御部３１から通知された設定温度又は変化量に基づいて、設定温度を変更する。これによれば、制御部３１は、エアコンＥＣＵ４１との通信を経ることなく表示を更新できるので、ダイヤルノブ２への回転操作が行われたタイミングと、表示が更新されるタイミングとのズレを小さくできる。
【００６８】
また、制御部３１は、現在モードが「吹出口切替」モードのときにダイヤルノブ２への回転操作があったときには、吹出口を切り替える操作があったことと、ダイヤルノブ２の回転量及び回転方向とをエアコンＥＣＵ４１に通知する。エアコンＥＣＵ４１は、制御部３１から通知される回転量及び回転方向に基づいて、「ＦＡＣＥ」モード、「Ｂ／Ｌ」モード、「ＦＯＯＴ」モード、「ＦＯＯＴ／ＤＥＦ」モードのいずれかに切り替える。詳しくは「ＦＡＣＥ」モード、「Ｂ／Ｌ」モード、「ＦＯＯＴ」モード、「ＦＯＯＴ／ＤＥＦ」モードはこの順で配列されており、現在の吹出口モードを基準としてこの配列順のどちらの方向に切り替えるのかをダイヤルノブ２の回転方向に基づいて判定する。また、現在の吹出口モードを基準としてこの配列順の何番目に位置する吹出口モードに切り替えるのかを、ダイヤルノブ２の回転量に基づいて判定する。
【００６９】
エアコンＥＣＵ４１は、例えば、現在の吹出口モードが「ＦＡＣＥ」モードのときにダイヤルノブ２に対して右方向に２段階の回転（２回の力覚が付与される回転量）があったときには、吹出口モードを「ＦＡＣＥ」モードから「ＦＯＯＴ」モードに切り替える。また、エアコンＥＣＵ４１は、例えば現在の吹出口モードが「Ｂ／Ｌ」モードのときにダイヤルノブ２に対して左方向に１段階の回転があったときには、吹出口モードを「ＦＡＣＥ」モードに切り替える。
【００７０】
その後、エアコンＥＣＵ４１は、切替後の吹出口モードを制御部３１に通知する。制御部３１は、通知された吹出口モードを示した画像に表示部１１の表示を切り替える。
【００７１】
なお、制御部３１は、ダイヤルノブ２の回転量及び回転方向に基づいてどの吹出口モードに切り替えるのかを判定し、判定した吹出口モードの画像に表示を切り替えるとともに、その吹出口モードをエアコンＥＣＵ４１に通知しても良い。
【００７２】
また、制御部３１は、現在モードが「ＢＬＯＷ」モードのときにダイヤルノブ２への回転操作があったときには、風量を変更する操作があったことと、ダイヤルノブ２の回転量及び回転方向とをエアコンＥＣＵ４１に通知する。エアコンＥＣＵ４１は、制御部３１から通知される回転量及び回転方向に応じた分だけ風量レベルを変更する。詳しくは、エアコンＥＣＵ４１は、ダイヤルノブ２の回転方向が右方向の場合には風量レベルを上げる方向に変更し、このときダイヤルノブ２の回転量が大きいほど風量レベルの上げ量を大きくする。エアコンＥＣＵ４１は、ダイヤルノブ２の回転方向が左方向の場合には風量レベルを下げる方向に変更し、このときダイヤルノブ２の回転量が大きいほど風量レベルの下げ量を大きくする。その後、エアコンＥＣＵ４１は、変更後の風量レベルを制御部３１に通知する。制御部３１は、通知された風量レベルとなるように表示を更新する。
【００７３】
なお、制御部３１は、ダイヤルノブ２の回転量及び回転方向に基づいてどの風量レベルに切り替えるのかを判定し、判定した風量レベルの画像に表示を切り替えるとともに、その風量レベルをエアコンＥＣＵ４１に通知しても良い。
【００７４】
また、制御部３１は、現在モードが「詳細」モードのときにダイヤルノブ２への特定の操作としての回転操作があったときには、ダイヤルノブ２の回転量及び回転方向に基づいて、「Ａ／Ｃ」モード、「ＤＵＡＬ」モード、「Ｓ−ＦＬＯＷ」モードのいずれかを選択する。詳しくは、最初は「Ａ／Ｃ」モード、「ＤＵＡＬ」モード、「Ｓ−ＦＬＯＷ」モードは選択されておらず、この状態でダイヤルノブ２への回転操作があったときには、その回転方向にかかわらず先ず「Ａ／Ｃ」モード、「ＤＵＡＬ」モード、「Ｓ−ＦＬＯＷ」モードのいずれかを枠で囲む枠画像２３５を表示部１１に表示させる。この枠画像２３５で囲まれたモードが選択されていることを示している。
【００７５】
そして、制御部３１は、枠画像２３５が表示された状態で再度ダイヤルノブ２への回転操作があったときには、枠画像２３５で囲まれたモードを基準として、ダイヤルノブ２の回転方向及び回転量に応じたモードに枠画像２３５を移動させる。詳しくは、ダイヤルノブ２の回転方向が右方向の場合には、１段階の回転ごとに「Ａ／Ｃ」モード→「ＤＵＡＬ」モード→「Ｓ−ＦＬＯＷ」モード→「Ａ／Ｃ」モード→・・・の切替方向で枠画像２３５を移動させる。他方、ダイヤルノブ２の回転方向が左方向の場合には、１段階の回転ごとに「Ａ／Ｃ」モード→「Ｓ−ＦＬＯＷ」モード→「ＤＵＡＬ」モード→「Ａ／Ｃ」モード→・・・の切替方向で枠画像２３５を移動させる。このように、制御部３１は、現在モードが「詳細」モードのときにダイヤルノブ２に対する特定の操作があったときには、「詳細」モードに含まれる複数の下位変更対象の中から状態変更を行う下位変更対象を選択する。ここで、「特定の操作」とは、ダイヤルノブ２のように、ダイヤルノブ２への回転操作、ダイヤルノブ２の短押操作、長押操作といった異なる複数種類の操作が可能な操作部に対する、それら複数種類の操作のうちの特定の操作をいう。
【００７６】
制御部３１は、枠画像２３５が表示された状態でダイヤルノブ２への押下操作があったときには、枠画像２３５で囲まれたモードに対してオンオフを切り替える操作がされたことをエアコンＥＣＵ４１に通知する。エアコンＥＣＵ４１は、この通知がされたときには、モードをオンまたはオフに切り替える。エアコンＥＣＵ４１は、例えば、「Ａ／Ｃ」モードがオフの状態で、制御部３１から、「Ａ／Ｃ」モードの作動を切り替える操作がされたことを通知されたときには、「Ａ／Ｃ」モードをオフからオンに切り替える。その後、エアコンＥＣＵ４１は、切替後のモードの状態（つまりオンかオフか）を制御部３１に通知する。制御部３１は、通知された状態となるように表示部１１の表示を切り替える。
【００７７】
なお、制御部３１は、枠画像２３５が表示されている状態でダイヤルノブ２への押下操作があったときには、枠画像２３５で囲まれたモードに対してオンにするのかオフにするのかを自ら判定し、その判定した状態となるように表示部１１の表示を切り替えるとともに、エアコンＥＣＵ４１に、枠画像２３５で囲まれたモードに対してオンオフを切り替える操作があったことを通知しても良い。これによれば、制御部３１は、エアコンＥＣＵ４１との通信を経ることなく表示を更新できるので、ダイヤルノブ２への押下操作が行われたタイミングと、表示が更新されるタイミングとのズレを小さくできる。
【００７８】
なお、制御部３１は、枠画像２３５が表示されている状態で、先端面２ａに対して左方向のフリック操作があったときには、「ＢＬＯＷ」モードに切り替え、表示部１１の表示を風量表示２２０に切り替える。制御部３１は、枠画像２３５が表示されている状態で、先端面２ａに対して右方向のフリック操作があったときには、「ＴＥＭＰ」モードに切り替え、表示部１１の表示を温度設定表示２００に切り替える。
【００７９】
エアコンＥＣＵ４１は、操作装置１の操作によりモードの状態を変更したときには、変更後の状態となるように空調ユニット４３を制御する。
【００８０】
さらに、制御部３１は、現在モードに応じてＬＥＤ２４〜２７の発光を制御する。詳しくは、制御部３１は、例えば現在モードが「ＢＬＯＷ」モードのときには、ＬＥＤ２４〜２６を発光させるとともに、その発光色を例えば白色とする。これにより、点灯部４（ブロワマーク部４ａ、右操作マーク部４ｂ、左操作マーク部４ｃ）は白色に点灯する。すなわち、白色のＬＥＤ２４、２５ａ、２６ａ（図６参照）を発光させる。ブロワマーク部４ａが点灯することで、ダイヤルノブ２の操作でブロワの風量が変更されることをユーザに容易に把握させることができる。また、右操作マーク部４ｂが点灯することで、ダイヤルノブ２の右方向への回転操作によりブロワの風量が上がることをユーザに容易に把握させることができる。また、左操作マーク部４ｃが点灯することで、ダイヤルノブ２の左方向への回転操作によりブロワの風量が下がることをユーザに容易に把握させることができる。
【００８１】
また、制御部３１は、例えば現在モードが「ＴＥＭＰ」モードのときには、ブロワマーク部４ａに光を供給するＬＥＤ２４は消灯させ、右操作マーク部４ｂに光を供給するＬＥＤ２５ａ、２５ｂのうち白色のＬＥＤ２５ａは消灯させ、赤色のＬＥＤ２５ｂは発光させ、左操作マーク部４ｃに光を供給するＬＥＤ２６ａ、２６ｂのうち白色のＬＥＤ２６ａは消灯させ、青色のＬＥＤ２６ｂは発光させる。これによれば、右操作マーク部４ｂが赤色に点灯することになり、赤色は温度が高いことを想起させる色であるので、ダイヤルノブ２の右方向への回転操作により、設定温度が上がることをユーザに容易に把握させることができる。また、左操作マーク部４ｃが青色に点灯することになり、青色は温度が低いことを想起させる色であるので、ダイヤルノブ２の左方向への回転操作により、設定温度が下がることをユーザに容易に把握させることができる。
【００８２】
また、制御部３１は、例えば現在モードが「吹出口切替」モード又は「詳細」モードのときにはＬＥＤ２４〜２６を消灯、つまり点灯部４を消灯させる。
【００８３】
また、制御部３１は、現在モードがいずれのモードのときであっても、照明部５ａに光を供給するＬＥＤ２７を発光させるとともに、現在モードに応じてＬＥＤ２７の発光色を変化させる。これによれば、照明部５ａによりダイヤルノブ２の周囲が照明し、さらに現在モードに応じてこの照明色が変化するので商品性を向上できるとともに、モードが変わったことをユーザに把握させやすくできる。
【００８４】
次に、図１１下段に示す車両設定モードについて説明する。車両設定モードは、変更対象として「ＤＲＩＶＥ」モードと、「シートヒータ」モードと、「走行支援」モードと、「詳細」モードとを含む。
【００８５】
「ＤＲＩＶＥ」モードは、車両の駆動部（エンジン、モータ）の制御に関するモードであり、詳しくは「ＮＯＲＭＡＬ」モードと、「ＥＣＯ」モードと、「ＳＰＯＲＴＳ」モードと、「ＥＶ」モードとのうちのいずれかに切り替えるモードである。「ＮＯＲＭＡＬ」モードは通常走行を実現するように駆動部を制御するモードである。「ＥＣＯ」モードは「ＮＯＲＭＡＬ」モードに比べて燃費が良い走行を実現するよう駆動部を制御するモードである。「ＳＰＯＲＴＳ」モードは「ＮＯＲＭＡＬ」モードに比べて加速性が良い走行や高トルクの走行を実現するよう駆動部を制御するモードである。「ＥＶ」モードは、車両の駆動部としてエンジンとモータの両方が備えられていることを前提として、モータのみで走行を行うモードである。
【００８６】
「シートヒータ」モードは、車両のシーヒータのパワーを設定するモードであり、詳しくは、シートヒータを停止させる「ＯＦＦ」モードと、シートヒータを低パワーで作動させる「ＬＯ」モードと、中程度のパワーで作動させる「ＭＩＤ」モードと、高パワーで作動させる「ＨＩ」モードとのうちのいずれかに切り替えるモードである。
【００８７】
「走行支援」モードは、さらに複数の下位変更対象を含んだモードであり、詳しくは下位変更対象として、クリアランスソナーと、ＢＳＭ（ブラインドスポットモニター）と、ＡＦＳ（Ａｄａｐｔｉｖｅ  Ｆｒｏｎｔ−ｌｉｇｈｔｎｉｎｇ  Ｓｙｓｔｅｍ）とを含む。クリアランスソナーは、車両周囲に存在する障害物を検知するセンサである。クリアランスソナーを用いたシステムは、クリアランスソナーにより車両周囲に存在する障害物を検知して、警告を行うシステムである。ＢＳＭは、運転者による車線変更時の判断を支援するシステムであり、詳しくは、レーダーセンサにより、隣りの車線のドアミラーに映らない領域（死角領域）を併走する車両を検知し、それを報知するシステムである。ＡＦＳは、ハンドルの切った方向に応じてヘッドライトの向きを変化させるシステムである。
【００８８】
「詳細」モードは、さらに複数の下位変更対象を含んだモードであり、詳しくは、ＩＣＳ（インテリジェントクリアランスソナー）と、ＰＣＳ（プリクラッシュセーフティシステム）、ＴＰＭＳ（タイヤプレッシャーモニタリングシステム）とを含む。ＩＣＳは、アクセルペダルの踏み間違いなどによる急発進時にクリアランスソナーで障害物を検知して衝突被害の軽減させるシステムである。ＰＣＳは、進路上の車両や歩行者を前方センサーで検知し、衝突の可能性が高いと判断したときに警報やブレーキ力制御により運転者の衝突回避操作を補助するシステムである。ＴＰＭＳはタイヤ空気圧を監視するシステムである。
【００８９】
制御部３１は、エアコンモードにおける各モードの切替と同様に、先端面２ａへのフリック操作により、「ＤＲＩＶＥ」モード、「シートヒータ」モード、「走行支援」モード、「詳細」モードのいずれかに切り替える（図１１下段参照）。
【００９０】
また、制御部３１は、図１３に示すように、フリック操作により選択したモードの現在状態を示した画像を表示部１１に表示させる。詳しくは、制御部３１は、フリック操作により「ＤＲＩＶＥ」モードに切り替えるときには、外部制御装置４０を構成するＥＣＵ４２（図１０参照）のうち、「ＤＲＩＶＥ」モードを制御するＥＣＵに、「ＮＯＲＭＡＬ」モード、「ＥＣＯ」モード、「ＳＰＯＲＴＳ」モード、「ＥＶ」モードのうちどれが設定されているのかを確認する。制御部３１は、その確認結果に基づいて、図１３に示す画像３０１〜３０４のいずれかを表示部１１に表示させる。画像３０１は「ＮＯＲＭＡＬ」モードを示した画像である。画像３０２は「ＥＣＯ」モードを示した画像である。画像３０３は「ＳＰＯＲＴＳ」モードを示した画像である。画像３０４は「ＥＶ」モードを示した画像である。
【００９１】
また、制御部３１は、「シートヒータ」モードに切り替えるときには、シートヒータを制御するＥＣＵに、シートヒータの現在の作動状態を確認する。制御部３１は、その確認結果に基づいて、図１３に示す画像３１１〜３１４のいずれかを表示部１１に表示させる。画像３１１は「ＯＦＦ」モードを示した画像である。画像３１２は「ＬＯ」モードを示した画像である。画像３１３は「ＭＩＤ」モードを示した画像である。画像３１４は「ＨＩ」モードを示した画像である。
【００９２】
また、制御部３１は、「走行支援」モードに切り替えるときには、クリアランスソナーを制御するＥＣＵ、ＢＳＭを制御するＥＣＵ、ＡＦＳを制御するＥＣＵのそれぞれに、各システムの現在の状態（オンかオフか）を確認する。制御部３１は、その確認結果に基づいて、クリアランスソナー、ＢＳＭ、ＡＦＳのそれぞれの状態を示した画像３２０を表示部１１に表示させる。
【００９３】
また、制御部３１は、「詳細」モードに切り替えるときには、ＩＣＳを制御するＥＣＵ、ＰＣＳを制御するＥＣＵ、ＴＰＭＳを制御するＥＣＵのそれぞれに各システムの現在の状態（オンかオフ）かを確認する。制御部３１は、その確認結果に基づいて、ＩＣＳ、ＰＣＳ、ＴＰＭＳのそれぞれの状態を示した画像３３０を表示部１１に表示させる。
【００９４】
さらに、制御部３１は、ダイヤルノブ２への回転操作や押下操作があったときには、その操作内容を、関連するＥＣＵに通知する。この通知を受けたＥＣＵは、通知された操作内容に基づいて、モードの状態を変更し、この変更後の状態を制御部３１に通知する。制御部３１は、ＥＣＵから通知された状態となるように表示部１１の表示を更新する。
【００９５】
図１３に示すように、例えば現在モードが「ＤＲＩＶＥ」モードのときには、ダイヤルノブ２の回転操作により「ＮＯＲＭＡＬ」モード、「ＥＣＯ」モード、「ＳＰＯＲＴＳ」モード、「ＥＶ」モードのいずれかに切り替えられ、画像３０１〜３０４のいずれかに表示が切り替わる。
【００９６】
また、例えば現在モードが「シートヒータ」モードのときには、ダイヤルノブ２の回転操作により「ＯＦＦ」モード、「ＬＯ」モード、「ＭＩＤ」モード、「ＨＩ」モードのいずれかに切り替えられ、画像３１１〜３１４のいずれかに表示が切り替わる。
【００９７】
また、例えば現在モードが「走行支援」モード又は「詳細」モードのときには、エアコンモードの「詳細」モードと同様に、ダイヤルノブ２への回転操作により、いずれかの下位変更対象が選択されて、ダイヤルノブ２への押下操作により選択された下位変更対象の状態（オンかオフか）が切り替わる。
【００９８】
また、制御部３１は、エアコンモードと同様に、車両設定モードの各モードに応じて照明部５ａの照明色を変化させる。
【００９９】
以上説明したように、本実施形態によれば、１つのダイヤルノブ２の操作によって、エアコンモードを構成する各変更対象及び車両設定モードを構成する各変更対象の状態変更を行うことができるので、変更対象ごとに操作部を設ける場合に比べて操作部の個数を削減でき、省スペース化を図ることができる。また、車種によって、変更対象の種類が異なっているとしても、各変更対象の状態変更機能をダイヤルノブ２の操作で実現することで、車種によって操作パネルのデザインが大きく変わってしまうのを抑制できる。よって、操作パネルのデザイン負担を軽減できる。これに対して、変更対象ごとに操作部を設ける構成では、変更対象の種類が少ない車種もあれば、変更対象の種類が多い車種もあることで、車種によって操作部の個数が大きく変わってくる。これにより、車種によって操作パネルのデザインが大きく変わり、デザイン負担が大きくなる。
【０１００】
また、本実施形態では、ダイヤルノブ２の先端面２ａへのフリック操作によりモードが切り替わり、つまりユーザは指を先端面２ａ上で左又は右にはらうだけでモードを切り替えることができるので、モード切替に伴うユーザの操作負担を軽減でき、操作性を向上できる。また、モード切替の操作（フリック操作）が容易であることから、所望のモードに迅速に切り替えることができる。
【０１０１】
また、フリック操作が行われる面を、ダイヤルノブ２の先端面２ａとすることで、ダイヤルノブ２以外の位置に、フリック操作面を配置する場合に比べて、省スペース化を図ることができる。
【０１０２】
また、モード切替操作を、非可動式のフリック操作とすることで操作装置１の構造が複雑になってしまうのを抑制できる。
【０１０３】
また、現在のモードが先端面２ａに表示されるので、ユーザにフリック操作によるモード切替を容易に把握させることができる。また、先端面２ａ以外の位置に表示部を配置する構成に比べて省スペース化を図ることができる。
【０１０４】
また、ダイヤルノブ２への長押し操作によって、エアコンモードと車両セ一定モードとが切り替わることで、エアコンモードに比べて使用頻度が少ない車両設定モードを、エアコンモードと異なる階層に配置させることができる。これにより、同一階層にエアコンモードと車両設定モードとを配置する場合に比べて、フリック操作の回数を減らすことができ、操作性を向上できる。
【０１０５】
また、現在モードに応じて点灯部４や照明部５ａの色が変化するので、商品性を向上できるとともに、モードが変わったことをユーザに把握させやすくできる。
【０１０６】
また、ダイヤルノブ２は、フリック操作のほかに、押下操作、回転操作の２種類の可動式操作が可能に構成されるので、より多くの変更対象の状態変更が、１つのダイヤルノブ２の操作で可能となる。
【０１０７】
また、エアコンモードの「詳細」モード、車両設定モードの「走行支援」モード及び「詳細」モードは、さらに複数の下位変更対象を含んでおり、それら複数の下位変更対象の状態が同時に表示されるので、複数の下位変更対象の状態を迅速に把握させることができる。
【０１０８】
なお、本発明は上記実施形態に限定されるものではなく、特許請求の範囲の記載を逸脱しない限度で種々の変更が可能である。例えば上記実施形態では、左右方向のフリック操作に基づいてモードを切り替えていたが、左右方向のフリック操作に加えて又は代えて、左右方向以外の方向（例えば上下方向）のフリック操作によってもモードを切り替えるようにしても良い。この場合、静電シートの電極を、左右方向以外の方向にも分割することで、左右方向以外の方向のフリック操作も検出できる。
【０１０９】
また、フリック操作が行われる面を、ダイヤルノブ以外の位置に設けても良い。例えば、フリック操作面を、できるだけ運転席に近い位置（例えば運転席と助手席の間の位置や、ハンドルの位置）に設けることで、より一層、モードを切り替えやすくできる。
【０１１０】
また、表示部を、ダイヤルノブ以外の位置に設けても良い。例えば、ダイヤルノブをユーザに近い位置（運転席と助手席の間の位置や、ハンドルの位置）に設け、表示部をユーザの視線変化が少ない位置（フロントガラスと同様の高さ位置）に設けることで、ユーザの操作性を向上しつつ、操作に伴うユーザの視線の動きを少なくでき、つまり表示部の視認性も向上できる。
【０１１１】
また、以下のように変更しても良い。すなわち、フリック操作が行われる面と表示部とを互いに独立に設ける。表示部に、複数の変更対象を同時に表示して、そのうちの一つには選択変更対象として選択されていることを示す画像（例えば選択枠）を付して表示する。そして、面に対してフリック操作が行われると、選択枠等の画像を他の変更対象の位置に遷移させることで、選択変更対象の切替を行う。
【０１１２】
また、回転操作、押下操作以外の可動式操作部（例えばジョイスティックのように揺動操作が可能な操作部、左右上下にスライドするダイヤルノブ）に本発明を適用しても良い。
【０１１３】
なお、上記実施形態において、ダイヤルノブ２が本発明の操作部に相当する。静電シート１０が本発明の検出部及び第１検出部に相当する。制御部３１が本発明の制御部及び表示制御部に相当する。プッシュスイッチ１８、フォトインタラプタ２０、２１が本発明の第２検出部に相当する。点灯部４、照明部５ａ、ＬＥＤ２４〜２７が本発明の照明部に相当する。先端面２ａへの長押し操作が、請求項１１の「特定の操作」に相当する。エアコンモードの「詳細」モード、車両設定モードの「走行支援」モード、「詳細」モードの状態におけるダイヤルノブ２の回転操作が、請求項１２の「特定の操作」に相当する。
【符号の説明】
【０１１４】
１  操作装置
２  ダイヤルノブ
２ａ  ダイヤルノブの先端面
１０  静電シート
１１  表示部
１８  プッシュスイッチ
２０、２１  フォトインタラプタ
３１  制御部
【図１】
2018034675.tif 000003
【図２】
2018034675.tif 000004
【図３】
2018034675.tif 000005
【図４】
2018034675.tif 000006
【図５】
2018034675.tif 000007
【図６】
2018034675.tif 000008
【図７】
2018034675.tif 000009
【図８】
2018034675.tif 000010
【図９】
2018034675.tif 000011
【図１０】
2018034675.tif 000012
【図１１】
2018034675.tif 000013
【図１２】
2018034675.tif 000014
【図１３】
2018034675.tif 000015